(57)【要約】      （修正有）【課題】収納量をなるべく減らすことなく、従来の取手レス扉と同等のシンプルな外観を有する取手レス扉を実現する。【解決手段】前板６の上部が手掛かりとして機能しており、前板６の後方に収納部９が形成されている引き出しを備えるとともに、収納部９の上部に補助引き出し１３を備えており、前板６の上端面が前板６の前面より突出することなく、後側へ向かうに従って下方へ傾斜する傾斜面が形成され、補助引き出し１３の前板部１５の下部に、手掛かり空間１６を形成する凹状部１７から成る手掛かり部が形成されており、前板６の上端面の傾斜面の後端と、補助引き出し１３の前板部１５の凹状部１７の前端が、略同じ高さに位置している。【選択図】図５
2008148954.tif 000002
【特許請求の範囲】
【請求項１】
前板の上部が手掛かりとして機能し、前記前板の後方に収納部が形成されている引き出しを備えるとともに、前記収納部の上部に補助引き出しを備えたキャビネットであって、前記補助引き出しの前板部に手掛かり部が形成されていることを特徴とするキャビネット。
【請求項２】
請求項１記載のキャビネットであって、前記手掛かり部は、前記補助引き出しの前板部の下部に、手掛かり空間を形成する凹状部から成る構成であることを特徴とするキャビネット。
【請求項３】
請求項２に記載のキャビネットであって、前記補助引き出しの前板部の幅方向において、前記凹状部の一部が切り欠かれていることを特徴とするキャビネット。
【請求項４】
請求項２又は３に記載のキャビネットであって、前記前板の上端面が、後側に向かうに従って下方へ傾斜する傾斜面の形状として形成されていることを特徴とするキャビネット。
【請求項５】
請求項４記載のキャビネットであって、前記前板の上端面の傾斜面の後端と、前記補助引き出しの前板部の凹状部の前端が、略同じ高さに位置していることを特徴とするキャビネット。
【請求項６】
請求項２又は３に記載のキャビネットであって、前記前板の上端面が、平坦面の形状として形成され、平坦面は前記補助引き出しの前板部の凹状部の前端より高い位置にあることを特徴とするキャビネット。
【発明の詳細な説明】
【技術分野】
【０００１】
本発明は、キッチン等に設けられる収納用のキャビネットに関し、特に前板の上部が手掛かりとして機能する引き出しにおいて、前板の内側に手掛かり部を備えた補助引き出しを設けたキャビネットに関する。
【背景技術】
【０００２】
従来、キャビネットの引き出し等の扉において、取手が付設されておらず扉自体（前板の上部等）を手掛かりにする取手レス扉は、構成がシンプルであり、その需要は高い。
【０００３】
一方、キャビネットの引き出しにおいて、二つの引き出し等を複合的に組み合わせた構成が、従来知られている。例えば、複数の引き出しを備えたキャビネットにおいて、最上部の引き出しの引き出し盆の上方に浅底の小引き出しを配設したものが公知である（特許文献１参照。）。
【０００４】
また、引き出しを備えたキャビネットにおいて、引き出しの上部に引き出しと同様に出し入れ自在な出入り物が設けられ、出入り物の前端部において引き出しの背板と係合可能な係合部が設けたものが公知である（特許文献２参照）。
【０００５】
なお、出願人はすでに、上引き出しと下引き出しの間に配置され、取手レス扉を形成する引き出し部材を提案している（特願２００６−４４５８６号参照）。
【特許文献１】実公昭５６−８５１３号公報
【特許文献２】特開２００５−１３２４８号公報
【発明の開示】
【発明が解決しようとする課題】
【０００６】
取手レス扉は、構成がシンプルであるが、扉の上縁（又は下縁）に手をかけるための隙間となるスペースが必要であり、そのためこのスペースの高さ分の収納量が減ってしまうという問題があった。
【０００７】
本発明は、収納量をなるべく減らすことなく、従来の取手レス扉と同等のシンプルな外観を有する取手レス扉を実現することを課題とする。
【課題を解決するための手段】
【０００８】
本発明は上記課題を解決するために、前板の上部が手掛かりとして機能し、前記前板の後方に収納部が形成されている引き出しを備えるとともに、前記収納部の上部に補助引き出しを備えたキャビネットであって、前記補助引き出しの前板部に手掛かり部が形成されていることを特徴とするキャビネットを提供する。
【０００９】
上記キャビネットでは、前記手掛かり部は、前記補助引き出しの前板部の下部に、手掛かり空間を形成する凹状部から成る構成としてもよい。
【００１０】
上記キャビネットでは、前記補助引き出しの前板部の幅方向において、前記凹状部の一部が切り欠かれている構成としてもよい。
【００１１】
上記キャビネットでは、前記前板の上端面が、後側に向かうに従って下方へ傾斜する傾斜面の形状として形成されている構成としてもよい。
【００１２】
上記キャビネットでは、前記前板の上端面の傾斜面の後端と、前記補助引き出しの前板部の凹状部の前端が、略同じ高さに位置している構成としてもよい。
【００１３】
上記キャビネットでは、前記前板の上端面が、平坦面の形状として形成され、平坦面は前記補助引き出しの前板部の凹状部の前端より高い位置にある構成としてもよい。
【発明の効果】
【００１４】
本発明に係るキャビネットによれば、次のような効果が生じる。
（１）引き出しの収納部の上部に補助引き出しを設け、補助引き出しの前板部に手掛かり部を形成したので、取手レス扉の手をかけるための隙間となるスペースが有効に活用できる。
（２）引き出しの前板に手をかけてその引き出しのみを引き出すこともできるし、補助引き出しの前板部に手をかけて二つの引き出しを同時に引き出すこともできる。
【発明を実施するための最良の形態】
【００１５】
本発明に係るキャビネットを実施するための最良の形態を実施例に基づき図面を参照して、以下説明する。
【実施例１】
【００１６】
図１〜図３は、本発明に係るキャビネットの実施例１を説明する図である。図１（ａ）、（ｂ）は正面図及び断面図であり、図２（ａ）は部分斜視図であり、図２（ｂ）は要部断面図である。図２（ｃ）、（ｄ）及び図３は使用状態を説明する図である。
【００１７】
この実施例１のキャビネット１は、図１（ａ）、（ｂ）に示すように、上中下３段の引き出し２、３、４が設けられている。上中下の３段の引き出し２、３、４は、それぞれ前板５、６、７が設けられており、前板５、６、７の後方が引き出しの収納部８、９、１０として構成されている。
【００１８】
この実施例１の上段及び中段の引き出し２、３についてみると、それぞれ人が手を掛けて引き出し２、３を前方に引き出すことのできるように、前板５、６の上部が手掛かり１１として構成されている。中段の引き出し３について、その手掛かり１１の構成を図２（ａ）、（ｂ）に示す。
【００１９】
中段の引き出し３の前板６の上端、要するに手掛かり１１の上端面は平坦面１２であり、後記する補助引き出し１３の凹状部１７の折返し部２０の上端より、上方になるように形成されている。これにより、前板６の上部の裏面に手を掛け、即ち手掛かり１１に手を掛けて中段の引き出し３のみを引き出すことが可能となる。また、前板６の上端面は前板６の前面より突出しないように形成されており、意匠的にもシンプルな印象を醸し出している。
【００２０】
このキャビネット１では、中段の引き出し３の収納部９の上部に、上中下３段の引き出し２、３、４とは別に補助引き出し１３を設けている。要するに、中段の引き出し３の収納部９の上方であって、上段の引き出し２の前板５と中段の引き出し３の前板６との隙間１４の後方のスペースに補助引き出し１３が設けられ、スペースが有効活用される構成とされている。
【００２１】
補助引き出し１３の前板部１５についてみれば、隙間１４の後方に配置されるように構成されている。よって、キャビネット１を前方から見ると、隙間１４を通して補助引き出し１３の前板部１５を見ることができる。この前板部１５は、手掛かり空間１６を形成する凹状部１７から成る構成の手掛かり部を有している。なお、補助引き出し１３の前板部１５は、その上部の引き出し２の前板５と干渉しない寸法関係となっている。
【００２２】
即ち、補助引き出し１３の前板部１５の下部には、図２（ａ）〜（ｄ）に示すように、断面が凹状であり手掛かり空間１６を形成する凹状部１７を備えている。より詳しくは、補助引き出し１３の前板部１５は、正面から見える垂直部１８、垂直部１８の下端から前方に折り返された下端水平部１９、下端水平部１９から上方に折り返された折返し部２０及び垂直部１８の上端から前方に折り返された上端水平部２１から一体に構成される。
【００２３】
補助引き出し１３の前板部１５の凹状部１７の前端、即ち、折返し部２０の上端は、中段の引き出し３の前板６の上端、要するに手掛かり１１の上端より下方になるように形成されている。したがって、手掛かり１１の上端面である平坦面１２は、補助引き出し１３の前板部１５の凹状部１７の前端より高い位置にある。これにより、凹状部１７に手を掛けて補助引き出し１３を中段の引き出し３とともに引き出すことができる。また、折返し部２０の上端には、図２（ａ）、（ｂ）に示すように、後方に向けて小さな突条部２２が形成されており、これは手を掛ける際の滑り止めである。
【００２４】
（作用）
以上の構成から成る実施例１のキャビネット１の作用を説明する。このキャビネット１を使用する際に、中段の引き出し３のみを前方に引き出す場合には、図２（ｃ）、図３（ａ）に示すように、中段の引き出し３の前板６の上端の手掛かり１１のみに手を掛けて、前方に引き出せばよい。
【００２５】
また、図２（ｄ）、図３（ｂ）に示すように、補助引き出し１３の凹状部１７に手を掛けて前方に引き出せば、補助引き出し１３を中段の引き出し３とともに前方に引き出すことができる。
【００２６】
（変形例）
図４は、本発明に係るキャビネットの実施例１の変形例を示す図であり、図４（ａ）は正面図、図４（ｂ）は図４（ａ）のＡ−Ａ断面図、図４（ｃ）は要部の斜視図である。図４（ｄ）、（ｅ）は使用状態を示す図である。この変形例のキャビネットは、実施例１において、その前板６の上端面を切り欠いて手掛かりとして機能する断面湾曲状の凹部６’を形成した点を特徴とする。
【００２７】
凹部６’は、図４（ｂ）〜（ｅ）に示すように、断面が略「し」字型に切り欠かれている。使用者は、図４（ｄ）に示すように、凹部６’に手を入れてその前端の突条縁１１’に指を掛けて、中段の引き出し３のみを引き出すことができる。また、図４（ｅ）に示すように、凹状部１７に手を入れて突条部２２に指を掛けて補助引き出し１３を中段の引き出し３とともに引き出すことができる。
【実施例２】
【００２８】
図５〜図７は、本発明に係るキャビネットの実施例２を説明する図である。図５（ａ）、（ｂ）は正面図及び断面図であり、図６（ａ）は部分斜視図であり、図６（ｂ）は要部断面図である。図６（ｃ）及び図７は使用状態を説明する図である。
【００２９】
この実施例２のキャビネット１’は、図５（ａ）、（ｂ）に示すように、上中下３段の引き出し２、３、４が設けられている。上中下の３段の引き出し２、３、４は、それぞれ前板５、６、７が設けられており、前板５、６、７の後方が引き出しの収納部８、９、１０として構成されている。
【００３０】
この実施例２の上段及び中段の引き出し２、３についてみると、それぞれ人が手を掛けて引き出し２、３を前方に引き出すことのできるような手掛かり１１が設けられている。この実施例２の手掛かり１１の構成は、上段及び中段の引き出し２、３については同じであるが、中段の引き出し３について、その手掛かり１１の構成を図６（ａ）〜（ｃ）に示す。
【００３１】
実施例１の手掛かり１１の上端面は平坦面１２として形成されているが、実施例２の手掛かり１１は、前板６の上端面が、後側に向かうに従って下方に傾斜しており手を掛けることのできる傾斜面１２’の形状として形成されている。また、前板６の上端面は前板６の前面より突出しないように形成されており、意匠的にもシンプルな印象を醸し出している。
【００３２】
このキャビネット１’では、中段の引き出し３の収納部９の上部に、上中下３段の引き出し２、３、４とは別に補助引き出し１３を設けている。要するに、中段の引き出し３の収納部９の上方であって、上段の引き出し２の前板５と中段の引き出し３の前板６との隙間１４の後方のスペースに補助引き出し１３が設けられ、スペースが有効活用される構成とされている。
【００３３】
補助引き出し１３の前板部１５についてみれば、隙間１４の後方に配置されるように構成されている。よって、キャビネット１’を前方から見ると、隙間１４を通して補助引き出し１３の前板部１５を見ることができる。この前板部１５は、手掛かり空間１６を形成する凹状部１７から成る構成の手掛かり部を有している。なお、補助引き出し１３の前板部１５は、その上部の引き出し２の前板５と干渉しない寸法関係となっている。
【００３４】
即ち、補助引き出し１３の前板部１５の下部には、図６（ａ）〜（ｃ）に示すように、断面が凹状であり手掛かり空間１６を形成する凹状部１７を備えている。より詳しくは、補助引き出し１３の前板部１５は、正面から見える垂直部１８、垂直部１８の下端から前方に折り返された下端水平部１９、下端水平部１９から上方に折り返された折返し部２０及び垂直部１８の上端から前方に折り返された上端水平部２１から一体に構成される。
【００３５】
補助引き出し１３の前板部１５の凹状部１７の前端、即ち、折返し部２０の上端は、中段の引き出し３の前板６の傾斜面１２’の後端と略同じ高さ又は若干下方になるように形成されている。なお、折返し部２０の上端には、図６（ａ）、（ｂ）に示すように、後方に向けて小さな突条部２２が形成されているが、これは手を掛ける際の滑り止めである。なお、実施例２が実施例１と異なる点は、前板６の上端、要するに手掛かり１１の上端面が傾斜面１２’であるという点である。
【００３６】
（作用）
以上の構成から成る実施例２のキャビネット１’の作用を説明する。このキャビネット１’を使用する際に、中段の引き出し３のみを前方に引き出す場合には、中段の引き出し３の前板６の上端の傾斜面１２’のみに手を掛けて、図７（ａ）に示すように、前方に引き出せばよい。
【００３７】
この際、補助引き出し１３における凹状部１７を構成する折返し部２０の上端は、図６（ａ）、（ｂ）に示すように、中段の引き出し３における前板６の傾斜面１２’の後端と略同じ高さ又は若干下方になるように形成されているので、指の先が折返し部２０の前面に突き当るようなことがなく手を掛けやすい。
【００３８】
また、図６（ｃ）、図７（ｂ）に示すように、補助引き出し１３の凹状部１７に手を掛けて前方に引き出せば、補助引き出し１３を中段の引き出し３とともに前方に引き出すことができる。
【実施例３】
【００３９】
図８は、本発明に係るキャビネットの実施例３を説明する図であり、図８（ａ）は正面図（ｃ）のＡ−Ａ断面図であり、図８（ｂ）は正面図（ｃ）において中段引き出しの前板６の上部を波線Ｓで示すように切り取ってその内側を観察した図であり、図８（ｃ）は正面図である。この実施例３のキャビネット２３は、図８（ａ）、（ｃ）に示すように、実施例２のキャビネット１’とほぼ同じ構成であり、異なる構成について以下に説明する。
【００４０】
この実施例３のキャビネット２３では、図８（ｂ）に示すように、補助引き出し１３の前板部１５の幅方向において、凹状部１７の一部が切り欠かれている。即ち、前板部１５の凹状部１７を構成する折返し部２０の中央部を幅方向に適宜長さで切除し、切り欠き部２４を形成した構成としている。なお、中央部ではなく、逆に中央部を除いて左右側を切除した構成としてもよいし、幅方向の全体の左右いずれかを切除した構成としてもよい。
【００４１】
（作用）
実施例３のキャビネット２３は、図８（ｂ）に示すように凹状部１７の一部が切り欠かれているので、この切り欠き部２４に対応した範囲で手掛かり空間１６内に手を入れて手を掛けると必ず中段の引き出し３の前板６の上部の手掛かり１１のみに手を掛けることができ、補助引き出し１３を引き出すことなく、中段の引き出し３のみを簡単且つ確実に前方に引き出すことが可能となる。
【００４２】
また、切り欠き部２４以外の範囲で凹状部１７に手を掛けて前方に引き出せば、中段の引き出し３とともに、補助引き出し１３を前方に引き出すことも可能である。なお、切り欠き部２４以外の範囲でも、実施例２と同様に、中段の引き出し３の前板６の上部の傾斜面１２’に手を掛けると中段の引き出し３を前方に引き出すことができる。
【００４３】
よって、この実施例３では、手を掛ける位置で、中段の引き出し３のみ、又は中段の引き出し３とともに補助引き出し１３若しくは中段の引き出し３のみ引き出すことが可能である、というように選択的に簡単且つ確実に引き出し操作が可能である。
【００４４】
以上、本発明に係るキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４５】
以上の構成から成る本発明に係るキャビネットは、キッチン、デスク、家具用のキャビネット等の各種のキャビネットに適用可能である。
【図面の簡単な説明】
【００４６】
【図１】本発明の実施例１を説明する図であり、（ａ）、（ｂ）は正面図及び断面図である。
【図２】本発明の実施例１を説明する図であり、（ａ）は部分斜視図であり、（ｂ）は要部拡大図であり、（ｃ）、（ｄ）は使用状態を説明する図である。
【図３】本発明の実施例１の使用状態を説明する図である。
【図４】本発明の実施例１の変形例を説明する図であり、（ａ）は正面図であり、（ｂ）は（ａ）のＡ−Ａ断面図であり、（ｃ）は要部斜視図であり、（ｄ）、（ｅ）は使用状態を説明する図である。
【図５】本発明の実施例２を説明する図であり、（ａ）、（ｂ）は正面図及び断面図である。
【図６】本発明の実施例２を説明する図であり、（ａ）は部分斜視図であり、（ｂ）は要部拡大図であり、（ｃ）は使用状態を説明する図である。
【図７】本発明の実施例２の使用状態を説明する図である。
【図８】本発明の実施例３を説明する図であり、（ａ）は正面図（ｃ）のＡ−Ａ断面図であり、（ｂ）は正面図（ｃ）において一部を切除した図であり、（ｃ）は正面図である。
【符号の説明】
【００４７】
１、１’２３  キャビネット
２、３、４  引き出し
５、６、７  前板
６’  前板の上端面の凹部
８、９、１０  収納部
１１  手掛かり
１１’  突条縁                             
１２    平坦面
１２’  傾斜面                               
１３  補助引き出し         
１４  隙間                                 
１５  補助引き出しの前板部                   
１６  手掛かり空間                         
１７  手掛かり空間を形成する凹状部         
１８  垂直部                               
１９  下端水平部                           
２０  折返し部                             
２１  上端水平部                           
２２  突条部                               
２４  切り欠き部                           
【図１】
2008148954.tif 000003
【図２】
2008148954.tif 000004
【図３】
2008148954.tif 000005
【図４】
2008148954.tif 000006
【図５】
2008148954.tif 000007
【図６】
2008148954.tif 000008
【図７】
2008148954.tif 000009
【図８】
2008148954.tif 000010